(57)【特許請求の範囲】
【請求項１】
音響信号を出力する内部スピーカと、
音響信号が入力される内部マイクロフォンと、
ヘッドセットスピーカ及びヘッドセットマイクロフォンを備える外部ヘッドセットが接続される接続手段と、
上記内部スピーカ及び内部マイクロフォン又は上記接続手段に接続された外部ヘッドセットを動作させる処理手段と、
上記処理手段を、上記内部スピーカ及び内部マイクロフォンと、上記接続手段に接続された外部ヘッドセットとに切り換えて接続する切換手段とを備え、
上記処理手段は、上記切換手段と上記内部マイクロフォンとの間の接続端子に接続された検出手段を備え、
上記検出手段は、単一の検出回路からなり、上記接続端子において検出される電位の変化に基づいて、上記外部ヘッドセットが接続されているか否かを検出するとともに、該外部ヘッドセットの動作状態を検出し、上記処理手段は、該検出結果に基づいて、当該移動端末装置及び該接続された外部ヘッドセットの動作を制御することを特徴とする移動端末装置。
【請求項２】
上記検出手段は、クリアな直流電圧信号を得るために、抵抗器とコンデンサとを備えることを特徴とする請求項１記載の移動端末装置。
【請求項３】
上記処理手段は、上記検出結果に基づいて、上記接続された外部ヘッドセットのヘッドセットスピーカ及びヘッドセットマイクロフォンの特性を制御することを特徴とする請求項１又は２記載の移動端末装置。
【請求項４】
上記処理手段は、上記接続された外部ヘッドセットの検出された動作状態に基づいて、当該移動端末装置の動作を制御することを特徴とする請求項１乃至３いずれか１項記載の移動端末装置。
【請求項５】
上記処理手段は、上記接続された外部ヘッドセットの検出された特定の動作状態に基づいて、当該移動端末装置の呼に対する応答機能を制御することを特徴とする請求項４記載の移動端末装置。
【請求項６】
上記処理手段は、上記接続された外部ヘッドセットの検出された特定の動作状態に基づいて、当該移動端末装置の呼に対する終話機能を制御することを特徴とする請求項４又は５記載の移動端末装置。
【請求項７】
上記検出手段は、上記接続された外部ヘッドセットのヘッドセットマイクロフォンが動作状態にあるか非動作状態にあるかを検出することを特徴とする請求項１乃至６いずれか１項記載の移動端末装置。
【請求項８】
上記検出手段は、上記外部ヘッドセットが正しく接続されていないことを検出することを特徴とする請求項１乃至７いずれか１項記載の移動端末装置。
【請求項９】
上記接続手段は、上記ヘッドセットマイクロフォン用の少なくとも１つの信号線と、上記ヘッドセットスピーカ用の少なくとも１つの信号線とを備えることを特徴とする請求項１乃至８いずれか１項記載の移動端末装置。
【請求項１０】
上記接続手段は、４端子のコネクタからなり、このうちの２端子は上記ヘッドセットマイクロフォンとの接続に使用され、残りの２端子は上記ヘッドセットスピーカとの接続に使用されることを特徴とする請求項９記載の移動端末装置。
【請求項１１】
請求項１乃至１０いずれか１項記載の移動端末装置に接続されるヘッドセットであって、
ヘッドセットスピーカと、
ヘッドセットマイクロフォンと、
上記移動端末装置側の接続手段に対応する接続手段と、
上記ヘッドセットマイクロフォンの動作状態及び非動作状態を切り換えるマイクロフォン切換手段とを備えるヘッドセット。
【請求項１２】
上記マイクロフォン切換手段は、上記ヘッドセットマイクロフォンを短絡させる短絡回路を備えることを特徴とする請求項１１記載のヘッドセット。
【請求項１３】
上記マイクロフォン切換手段は、押しボタンスイッチであることを特徴とする請求項１１又は１２記載のヘッドセット。
【発明の詳細な説明】
【０００１】
【発明の属する技術分野】
本発明は、無線通信システム用の移動端末装置及びこの移動端末装置に接続されるヘッドセットに関する。
【０００２】
【従来の技術】
移動通信用グローバルシステム（Global System for Mobile communications：以下、ＧＳＭという）及び次世代移動通信システム（Universal Mobile Telephone System ：ＵＭＴＳ）等の無線通信システム用の移動端末装置に接続されるヘッドセットが知られている。ヘッドセットは、ヘッドセットマイクロフォン及びヘッドセットスピーカを備える。このようなヘッドセットにより、ユーザは会話中に移動端末装置を手に持つ必要がなくなるため、近年、このようなヘッドセットの人気が高まっている。
【０００３】
周知のヘッドセットは、移動端末装置の入出力コネクタに接続され、基本的には、ユーザの耳に装着されるイヤプラグ（ear plug）に設けられたワイヤと、このワイヤの途中に取り付けられたマイクロフォンとを備える。ユーザは、ヘッドセットを移動端末装置に接続し、移動端末装置を例えば上着のポケットに入れたまま、イヤプラグを耳に装着することにより、移動端末装置を顔の付近で保持することなく会話することができる。近年では、移動端末装置からヘッドセットのスピーカに音声信号を送信するためのジャックと、ヘッドセットのマイクロフォンから移動端末装置に音声信号を送信するためのジャックとが分離された移動端末装置も提案されている。
【０００４】
【発明が解決しようとする課題】
このようなヘッドセットは、例えば米国特許公報第５５０４８１２号に開示されている。ここに開示される移動端末装置は、ヘッドセット検出回路を備え、ヘッドセット検出回路は、ヘッドセットが移動端末装置の対応するジャックに接続されているか否かを検出する。ヘッドセット検出回路は、ヘッドセットが接続されたことを検出すると、移動端末装置のマイクロプロセッサにこの検出を知らせ、これにより、マイクロプロセッサは、移動端末装置のスピーカ及びマイクロフォンをオフに切り換え、移動端末装置の送信回路及び受信回路をヘッドセットに接続する。
【０００５】
このヘッドセットでは、スピーカの筐体に回転自在に取り付けられたブーム（boom）の先端にマイクロフォンが取り付けられている。ユーザは、このブームを旋回させることにより、呼に応答し又は終話することができる。すなわち、ヘッドセットは、ブームの位置を検出するオフフック回路（off-hook circuit）を備え、オフフック回路は、ブームの位置をマイクロプロセッサに知らせる。マイクロプロセッサは、このブームの位置に対応して、移動端末装置全体の動作を制御する。
【０００６】
米国特許公報第５８３２０７５号には、電話機にヘッドセットが接続されているか否かを検出するヘッドセット存在検出回路（headset present detector）を備えるイベント検出回路が開示されている。
【０００７】
上述のようなオフフック回路又はヘッドセット存在検出回路は、構成が複雑であり、高コストであるという問題があった。
【０００８】
そこで、本発明は、上述の課題に鑑みてなされたものであり、本発明の目的は、外部ヘッドセットを接続することができる移動端末装置であって、接続された外部ヘッドセットの動作を効果的且つ確実に制御することができる単純で費用効果が高い構成を有する移動端末装置及びヘッドセットを提供することである。
【０００９】
【課題を解決するための手段】
上述の目的を達成するために、本発明に係る移動端末装置は、音響信号を出力する内部スピーカと、音響信号が入力される内部マイクロフォンと、ヘッドセットスピーカ及びヘッドセットマイクロフォンを備える外部ヘッドセットが接続される接続手段と、内部スピーカ及び内部マイクロフォン又は接続手段に接続された外部ヘッドセットを動作させる処理手段と、処理手段を、内部スピーカ及び内部マイクロフォンと、接続手段に接続された外部ヘッドセットとに切り換えて接続する切換手段とを備える。処理手段は、切換手段と内部マイクロフォンとの間に接続された検出手段を備える。検出手段は、単一の検出回路からなり、接続端子において検出される電位の変化に基づいて、外部ヘッドセットが接続されているか否かを検出するとともに、外部ヘッドセットの動作状態を検出する。処理手段は、検出結果に基づいて、当該移動端末装置及び接続された外部ヘッドセットの動作を制御する。
【００１０】
本発明に係る移動端末装置によれば、検出手段で検出された検出結果に基づいて、当該移動端末装置及び接続された外部ヘッドセットの動作を制御することができる。したがって、移動端末装置に外部ヘッドセットが接続されると、内部マイクロフォンの動作状態が変化し、これにより、単純で費用効果がよく、且つ信頼性の高い外部ヘッドセットの検出が実現できる。さらに、検出手段は、電気的変化、すなわち、他の要素の状態の変化に応じて変化する値を検出するため、接続された外部ヘッドセットの動作を高い信頼度で能動的に制御することができる。
【００１１】
さらに、検出手段は、内部マイクロフォンの接続端子に接続されている。ここで、接続端子とは、２つのマイクロフォン信号線を有する内部マイクロフォンの２つの端子のうちの一方を意味する。さらに、検出手段は、直流電圧の変化を検出する。これにより、外部ヘッドセットを単純且つ高い信頼度で検出することができる。この場合、検出手段は、クリアな直流電圧信号を得るための抵抗器及びコンデンサを備えていてもよい。これにより、安価で単純な検出を実現できる。本発明に基づく構成は、容易に実現できるとともに、外部ヘッドセットが接続されているか否か、接続された外部ヘッドセットの動作状態、外部ヘッドセットが正しく接続されているか否か等、広範囲に亘る検出を行うことができる。
【００１２】
処理手段は、検出結果に基づいて、接続された外部ヘッドセットのヘッドセットスピーカ及びヘッドセットマイクロフォンの特性を制御してもよい。例えば、検出手段が外部ヘッドセットを検出すると、処理手段は、検出結果に基づいて、ヘッドセットスピーカ及びヘッドセットマイクロフォンの感度を自動的に調節する。
【００１３】
さらに、検出手段は、接続された外部ヘッドセットの動作状態を検出し、処理手段は、この検出された動作状態に基づいて、外部ヘッドセットの動作を制御することもできる。この場合、検出手段は、外部ヘッドセットが接続されているか否かを検出するのみならず、接続された外部ヘッドセットの複数の動作状態のうちの１つを検出することができ、これに応じて、外部ヘッドセットの動作を制御及び調整することができる。また、この場合、処理手段は、接続された外部ヘッドセットの検出された動作状態に応じて、移動端末装置本体の動作を制御することもできる。すなわち、検出結果に基づいて、接続された外部ヘッドセットの動作のみではなく、移動端末装置の動作も制御することもできる。
【００１４】
さらに、処理手段は、接続された外部ヘッドセットの特定の動作状態に応じて、移動端末装置の呼に対する応答機能を制御してもよい。これに加えて又はこれに代えて、処理手段は、接続された外部ヘッドセットの特定の動作状態に応じて、移動端末装置の呼を切断する終話機能を制御してもよい。この場合、ユーザは、移動端末装置に触れることなく、外部ヘッドセットの動作状態を能動的に変更することにより、呼に対する応答又は終話を行うことができる。
【００１５】
なお、上述のように、単一の検出手段により、外部ヘッドセットの接続及び接続された外部ヘッドセットの異なる動作状態を検出することができる。さらに、検出手段は、外部ヘッドセットの接続及び／又は外部ヘッドセットの動作状態に応じて変化する例えば電圧値等の電気的変化に基づいて、外部ヘッドセットの接続及び／又は外部ヘッドセットの動作状態を検出する。このため、検出手段は、例えば、異なる電圧レベルに基づいて、接続された外部ヘッドセットの異なる状態を区別するための構成を有している。この場合、検出手段は、内部マイクロフォンの接続端子に接続するとよい。これにより、検出手段は、例えば、接続された外部ヘッドセットのヘッドセットマイクロフォンの動作状態を示す直流電圧レベルを測定する。
【００１６】
外部ヘッドセット内では２種類の信号が伝送される。第１の種類の信号は、ヘッドセットマイクロフォンに入力される音響信号であり、この音響信号は、電気信号に変換された後、移動端末装置に供給される。第２の種類の信号は、移動端末装置から供給される信号であり、この信号は、ヘッドセットスピーカにおいて音響信号に変換されてユーザに出力される。
【００１７】
検出手段は、内部マイクロフォンの接続端子に接続されているので、接続された外部ヘッドセットのヘッドセットマイクロフォンの異なる動作状態によって、外部ヘッドセット及び／又は移動端末装置の動作を制御することができる。例えば、検出手段は、接続された外部ヘッドセットのヘッドセットマイクロフォンが動作状態にあるか非動作状態にあるかを検出する。さらに、検出手段は、外部ヘッドセットが正しく接続されているか否かを検出することもできる。検出手段により、外部ヘッドセットが正しく接続されていないことが検出された場合、検出手段は、対応する措置を講ずることができる。例えば、外部ヘッドセットが移動端末装置に正しく接続されていない場合、ユーザに警告信号を出力してもよい。
【００１８】
接続手段は、ヘッドセットマイクロフォン用の少なくとも１つの信号線と、ヘッドセットスピーカ用の少なくとも１つの信号線とを備えていてもよい。ここで、接続手段は、例えば、４端子のコネクタであり、このうち２端子はヘッドセットマイクロフォンとの接続に使用され、他の２端子はヘッドセットスピーカとの接続に使用される。
【００１９】
さらに、上述の目的を達成するために、本発明に係るヘッドセットは、上述の移動端末装置に接続される外部ヘッドセットであって、ヘッドセットスピーカと、ヘッドセットマイクロフォンと、移動端末装置側の接続手段に対応する接続手段と、ヘッドセットマイクロフォンの動作状態及び非動作状態を切り換えるマイクロフォン切換手段とを備える。
【００２０】
このマイクロフォン切換手段は、例えば、外部ヘッドセットを使用して通信を行っているユーザが、接続を保留し、通話相手に聴かれることなく周囲の第三者と会話を行いたい場合等に使用することができる。すなわち、マイクロフォン切換手段により、ユーザはヘッドセットマイクロフォンを非動作状態に切り換え、これにより、ユーザと第三者との間の会話が通話相手に聴かれないようにすることができる。
【００２１】
さらに、本発明の特別な効果として、外部ヘッドセットの接続を検出する移動端末装置の検出手段の特別な構成により、マイクロフォン切換手段を用いて、呼に対する応答及び／又は終話を行うこともでき、更なる機能の制御及び設定を行うこともできる。この検出手段は、外部ヘッドセットの動作状態、すなわち外部ヘッドセットのマイクロフォン切換手段の状態を検出することもできる。マイクロフォン切換手段は、例えば、ヘッドセットマイクロフォンを短絡させる短絡回路を有している。この場合、移動端末装置の検出手段は、マイクロフォン切換手段の動作に起因した電圧の変化を容易に検出することができる。マイクロフォン切換手段は、単なる押しボタンスイッチとしてもよい。
【００２２】
【発明の実施の形態】
以下、本発明に係る移動端末装置及びヘッドセットについて、図面を参照して詳細に説明する。
【００２３】
図１は、本発明を適用した移動端末装置の構成を示すブロック図である。図１に示す移動端末装置１は、例えば、移動通信用グローバルシステム（Global System for Mobile communications：以下、ＧＳＭという）及び次世代移動通信システム（Universal Mobile Telephone System ：ＵＭＴＳ）システム等の無線電気通信システムにおいて使用される。この実施の形態において、移動端末装置１は、例えば無線伝送路を介して信号を送受信するシングルバンド（single band）、ダブルバンド（dual band）、トリプルバンド（triple band）又はより多いバンドのセルラ電話である。図１には示さないが、移動端末装置１は、アンテナ、変調器、復調器等、無線電気通信システムにおける動作に必要な全ての回路を備えている。
【００２４】
さらに、移動端末装置１は、移動端末装置１の筐体の上部に埋設された内部スピーカ２と、移動端末装置１の筐体の下部に埋設された内部マイクロフォン３とを備えている。内部スピーカ２は、例えば処理回路５から供給される電気信号を音響信号に変換して出力する。内部マイクロフォン３は、ユーザからの音響信号を電気信号に変換して処理回路５に供給する。この電気信号は、さらに所定の処理が施された後、通話の相手側に送信される。内部スピーカ２から出力される音響信号は、無線電気通信システムを介して相手側から送られてきた信号に基づいている。
【００２５】
処理回路５は、例えば移動端末装置１の基本的な機能を制御するマイクロプロセッサ又はマイクロコントローラである。処理回路５は、例えば移動端末装置１の必要なベースバンド処理の全てを実行するベースバンドチップであってもよい。処理回路５は、切換回路６を介して、内部スピーカ２及び内部マイクロフォン３を動作させるとともに、制御する。切換回路６は、移動端末装置１に外部ヘッドセット１０を接続するためのコネクタ４にも接続されている。
【００２６】
本発明の好ましい実施の形態においては、コネクタ４は、４端子のプラグからなり、対応する外部ヘッドセット１０のコネクタ１１、すなわち４端子のジャックが接続される。この実施の形態では、後に図２を用いて詳細に説明するように、４つの端子のうち２つをヘッドセットスピーカ１２との接続線として使用し、他の２つをヘッドセットマイクロフォン１３との接続線として使用する。
【００２７】
切換回路６は、２つの切換スイッチを備える。第１の切換スイッチは、移動端末装置１の内部スピーカ２と、接続されている外部ヘッドセット１０のヘッドセットスピーカ１２とを切り換え、第２の切換スイッチは、移動端末装置１の内部マイクロフォン３と、接続されている外部ヘッドセット１０のヘッドセットマイクロフォン１３とを切り換える。
【００２８】
切換回路６を構成する第１及び第２の切換スイッチは、外部ヘッドセット１０のコネクタ１１を移動端末装置１のコネクタ４に挿入することにより切り換えられる機械的な切換スイッチである。すなわち、プラグからなるコネクタ４にジャックからなるコネクタ１１を挿入することにより、切換回路６は、処理回路５からのマイクロフォン信号線を内部マイクロフォン３からヘッドセットマイクロフォン１３に切り換え、処理回路５からのスピーカ信号線を内部スピーカ２からヘッドセットスピーカ１２に切り換える。このように、外部ヘッドセット１０のコネクタ１１を移動端末装置１のコネクタ４に挿入することにより、移動端末装置１の内部スピーカ２及び内部マイクロフォン３は、自動的にオフに切り換えられ、ヘッドセットマイクロフォン１３及びヘッドセットスピーカ１２がアクティブにされる。
【００２９】
移動端末装置１の処理回路５は、外部ヘッドセット１０が移動端末装置１に接続されていることを検出する検出回路７を備え、この検出回路７の検出結果に基づいて、接続されている外部ヘッドセット１０の動作が制御される。例えば、移動端末装置１に外部ヘッドセット１０が接続されていることを検出回路７が検出すると、処理回路５は、この検出結果に基づいて、標準設定、又は内部スピーカ２及び内部マイクロフォン３の設定と比較して、ヘッドセットスピーカ１２及びヘッドセットマイクロフォン１３の設定を変更する。例えば、処理回路５は、この検出回路７による検出結果に基づいて、ヘッドセットスピーカ１２及びヘッドセットマイクロフォン１３の感度、フィルタ特性等を変更する。
【００３０】
外部ヘッドセット１０は、図１に示すように、マイクロフォン信号線とスピーカ信号線が入ったコードと、コネクタ１１と、ヘッドセットスピーカ１２が取り付けられたイヤピースと、ヘッドセットマイクロフォン１３及びマイクロフォン切換回路１４とが収納されたマイクロフォン筐体１５とを備える。マイクロフォン筐体１５は、イヤピースがユーザの耳に装着されると、ヘッドセットマイクロフォン１３がユーザの口の近くで保持されるように、イヤピースから所定距離離間して配設されている。
【００３１】
マイクロフォン切換回路１４は、押しボタンスイッチを備え、この押しボタンスイッチを押圧操作することにより、ユーザは、ヘッドセットマイクロフォン１３を非動作状態に切り換えることができる。ヘッドセットマイクロフォン１３を非動作状態に切り換えると、ユーザは、通話相手に聴かれることなく、例えば、周囲にいる第三者と会話をすることができる。
【００３２】
移動端末装置１が備える処理回路５内の検出回路７は、例えば、ヘッドセットマイクロフォン１３が動作状態又は非動作状態であるか等、接続されている外部ヘッドセット１０の動作状態も検出する。この検出結果に基づいて、処理回路５は、外部ヘッドセット１０及び／又は移動端末装置１の動作を制御する。これにより、外部ヘッドセット１０のマイクロフォン切換回路１４は、呼出しがあった呼に対する応答、終話、あるいは外部ヘッドセット１０及び／又は移動端末装置１の動作に関する更なる機能を実行する。
【００３３】
図２は、本発明を適用した移動端末装置１及び外部ヘッドセット１０の回路構成を詳細に示す回路図である。移動端末装置１の内部マイクロフォン３として使用されるコンデンサマイクロフォン（capacitor microphone）２３は、移動端末装置１に外部ヘッドセット１０が接続されていない場合、正のマイクロフォン信号線２０と負のマイクロフォン信号線２１とに接続される。正のマイクロフォン信号線２０及び負のマイクロフォン信号線２１は、図１に示す処理回路５に接続されており、コンデンサマイクロフォン２３に入力され、電気信号に変換された音声信号を更なる処理のために処理回路５に供給する。
【００３４】
コンデンサマイクロフォン２３と正のマイクロフォン信号線２０との間には、機械的な切換スイッチ２６が配設されている。機械的な切換スイッチ２６は、図１に示す移動端末装置１の切換回路６の一部であり、移動端末装置１への外部ヘッドセット１０の接続に応じて、移動端末装置１の内部マイクロフォン３であるコンデンサマイクロフォン２３と、ヘッドセットマイクロフォン１３であるコンデンサマイクロフォン４２とのいずれかを機械的に及び自動的に切り換え選択して正のマイクロフォン信号線２０に接続する。すなわち、図１に示す外部ヘッドセット１０のコネクタ１１が移動端末装置１のコネクタ４に挿入されると、切換スイッチ２６の選択接点は、移動端末装置１のコンデンサマイクロフォン２３に接続されている被選択接点２２から、外部ヘッドセット１０のコンデンサマイクロフォン４２に接続されている被選択接点４０に切り換えられる。
【００３５】
さらに、外部ヘッドセット１０のコンデンサマイクロフォン４２に接続されている接続端子４１は、移動端末装置１の負のマイクロフォン信号線２１に接続される。したがって、外部ヘッドセット１０が移動端末装置１に接続されると、外部ヘッドセット１０のコンデンサマイクロフォン４２は、正のマイクロフォン信号線２０及び負のマイクロフォン信号線２１に接続され、このコンデンサマイクロフォン４２に入力された音響信号は、電気信号に変換された後、移動端末装置１の処理回路５に供給される。
【００３６】
上述のように内部マイクロフォン３及びヘッドセットマイクロフォン１３は、それぞれコンデンサマイクロフォン２３、４２であり、したがって、それらを動作させるためには、直流のバイアス電圧Ｖｂｉａｓが必要である。このため、正のマイクロフォン信号線２０と負のマイクロフォン信号線２１には、それぞれ同じ抵抗値を有する第１の抵抗器２９と第２の抵抗器３０を介して、対称的にバイアス電圧Ｖｂｉａｓと接地電位ＧＮＤが印可されている。ここで、バイアス電圧Ｖｂｉａｓ側の線と接地電位ＧＮＤ側の線は、並列に接続された第１及び第２のコンデンサ２５、２７を介して接続されており、バイアス電圧Ｖｂｉａｓ側の線の第１及び第２のコンデンサ２５、２７間には、抵抗器２８が配設されており、この構成により、バイアス電圧Ｖｂｉａｓに交流成分が重畳しているときは、この交流成分はフィルタリング除去され、コンデンサマイクロフォン２３、４２には安定して直流電圧が供給される。
【００３７】
コンデンサマイクロフォン２３と、正のマイクロフォン信号線２０に接続されている切換スイッチ２６の被選択接点２２との間には、コンデンサマイクロフォン２３の接続端子４４が設けられており、この接続端子４４は、低域通過フィルタを介して、処理回路５内の検出回路７の一部であるアナログ／デジタル変換器（以下、Ａ／Ｄ変換器という。）の入力端子３３に接続されている。低域通過フィルタは、抵抗器３１と、接地電位ＧＮＤに接続されたコンデンサ３２とにより構成されており、このような単純な構成により、検出回路７のＡ／Ｄ変換器に、交流成分が除去されたクリアな直流電圧を確実に供給することができる。Ａ／Ｄ変換器の入力端子３３に直列に接続されている抵抗器３１は、例えば１００ｋΩといった高いインピーダンスを有しており、このため、マイクロフォン信号線２０、２１における音響信号に対して干渉が生じることはない。
【００３８】
低域通過フィルタ及び検出回路７のＡ／Ｄ変換器により、コンデンサマイクロフォン２３と正のマイクロフォン信号線２０側の被選択接点２２との接続端子４４の直流電圧レベル、すなわち電位又は電圧の変化が検出される。これら電位又は電圧の変化は、外部ヘッドセット１０が移動端末装置１に接続されたか否か、及び外部ヘッドセット１０の動作状態がどのようになっているかを示す。外部ヘッドセット１０が移動端末装置１に接続されていない場合、切換スイッチ２６は、通常の位置に設定され、すなわち正のマイクロフォン信号線２０に移動端末装置１のコンデンサマイクロフォン２３を接続する。
【００３９】
ここで、抵抗器２９、３０及びコンデンサマイクロフォン２３のインピーダンスは、移動端末装置１の内部マイクロフォン３と内部スピーカ２が動作する通常状態において、第１及び第２の抵抗器２９、３０でそれぞれバイアス電圧Ｖｂｉａｓの１／４の電圧降下が生じ、これにより、コンデンサマイクロフォン２３の両端にバイアス電圧Ｖｂｉａｓの１／２の電圧が印加されるように設定する。すなわち、例えば抵抗器２９、３０は、それぞれコンデンサマイクロフォン２３、４２の半分のインピーダンスを有する。したがって、入力端子３３に接続された検出回路７のＡ／Ｄ変換器は、バイアス電圧Ｖｂｉａｓの約３／４の電圧を検出する。
【００４０】
一方、外部ヘッドセット１０が移動端末装置１に接続されると、切換スイッチ２６は、その選択接点を、正のマイクロフォン信号線２０に接続されている移動端末装置１の被選択接点２２から外部ヘッドセット１０の被選択接点４０に自動的に切り換え、例えばコンデンサマイクロフォン２３とコンデンサマイクロフォン４２のインピーダンスが等しいときは、検出回路７のＡ／Ｄ変換器は、バイアス電圧Ｖｂｉａｓの１／４の電圧又は電位を検出する。したがって、検出回路７は、コンデンサマイクロフォン２３が接続された接続端子４４の電位の変化を検出することにより、外部ヘッドセット１０が移動端末装置１に接続されたことを検出する。
【００４１】
図１に示すマイクロフォン切換回路１４は、図２に示すように、外部ヘッドセット１０のコンデンサマイクロフォン４２に並列に接続された押しボタンスイッチ４３を備える。この押しボタンスイッチ４３を押圧操作することにより、外部ヘッドセット１０のコンデンサマイクロフォン４２は短絡され、これにより、コンデンサマイクロフォン４２は動作状態から非動作状態に切り換えられる。この機能は、外部ヘッドセット１０を使用して通話しているユーザが、接続を保留し、通話相手に聴かれることなく周囲の第三者と会話を行う場合等に使用される。この場合、ユーザは、マイクロフォン切換回路１４の押しボタンスイッチ４３を押圧操作することにより、コンデンサマイクロフォン４２を非動作状態に切り換える。この操作により、接続端子４４における電位又は電圧が変化し、検出回路７のＡ／Ｄ変換器は、バイアス電圧Ｖｂｉａｓの半分（１／２）の電圧を検出する。これにより、外部ヘッドセット１０の動作状態の変化を検出することができ、この検出結果に基づいて、処理回路５は、例えば、移動端末装置１及び／又は外部ヘッドセット１０の設定をさらに変更したり、さらに必要な動作を実行したりする。また、例えば、マイクロフォン切換回路１４は、呼出しがあった呼に応答したり及び／又は終話するために使用することもでき、外部ヘッドセット１０又は移動端末装置１の動作状態又は機能を変更及び／又は制御するために使用することもできる。
【００４２】
上述のように、検出回路７は、コンデンサマイクロフォン２３が接続された接続端子４４において検出される電位の変化に基づいて、外部ヘッドセット１０の状態を検出する。
【００４３】
この実施の形態においては、外部ヘッドセット１０に関して３つの状態が存在する。すなわち、外部ヘッドセット１０が移動端末装置１に接続されていない状態と、外部ヘッドセット１０が移動端末装置１に接続されており且つヘッドセットマイクロフォン１３が動作している状態と、外部ヘッドセット１０が移動端末装置１に接続されており且つヘッドセットマイクロフォン１３が動作していない状態の３つの状態がある。これら３つの状態は、コンデンサマイクロフォン２３が接続されている接続端子４４において検出される異なる電圧値にそれぞれ対応している。検出回路７は、所定の検出範囲又は閾値により、これらの３つの電圧値を区別して検出する。すなわち、検出回路７は、予想される各電圧値、すなわちバイアス電圧Ｖｂｉａｓの１／４、１／２、３／４の電圧値をそれぞれ中心とする所定の検出範囲と、実際に検出された電圧値とを比較する。検出された電圧値がこれら所定の検出範囲のいずれにも該当しない場合、未定義の状態が検出される。これは、例えば、外部ヘッドセット１０のコネクタ１１が移動端末装置１のコネクタ４に正しく挿入されていない場合等に生じる状態である。この場合、検出回路７は、処理回路５に対応する信号を供給し、処理回路５は、例えば、音響信号又は視覚信号によりユーザに警告を与えることにより、外部ヘッドセット１０が移動端末装置１に正しく接続されていないことを知らせる。
【００４４】
このように、本発明によれば、単純な構成により、移動端末装置１及びこれに接続される外部ヘッドセット１０の動作及び動作状態を単純且つ効果的に制御することができる。
【００４５】
【発明の効果】
以上のように、本発明に係る移動端末装置は、音響信号を出力する内部スピーカと、音響信号が入力される内部マイクロフォンと、ヘッドセットスピーカ及びヘッドセットマイクロフォンを備える外部ヘッドセットが接続される接続手段と、内部スピーカ及び内部マイクロフォン又は接続手段に接続された外部ヘッドセットを動作させる処理手段と、処理手段を、内部スピーカ及び内部マイクロフォンと、接続手段に接続された外部ヘッドセットとに切り換えて接続する切換手段とを備える。処理手段は、切換手段と内部マイクロフォンとの間に接続された検出手段を備える。検出手段は、単一の検出回路からなり、接続端子において検出される電位の変化に基づいて、外部ヘッドセットが接続されているか否かを検出するとともに、外部ヘッドセットの動作状態を検出する。処理手段は、検出結果に基づいて、当該移動端末装置及び接続された外部ヘッドセットの動作を制御する。これにより、単純且つ低コストな構成で、移動端末装置及び接続された外部ヘッドセットを効果的且つ確実に制御できる。
【００４６】
また、本発明に係るヘッドセットは、この移動端末装置に接続される外部ヘッドセットであって、ヘッドセットスピーカと、ヘッドセットマイクロフォンと、移動端末装置側の接続手段に対応する接続手段と、ヘッドセットマイクロフォンの動作状態及び非動作状態を切り換えるマイクロフォン切換手段とを備える。これにより、単純且つ低コストな構成で、移動端末装置及び接続されたヘッドセットを効果的且つ確実に制御できる。
【図面の簡単な説明】
【図１】本発明を適用した移動端末装置及びヘッドセットの構成を示すブロック図である。
【図２】図１に示す移動端末装置及びヘッドセットの回路構成をより詳細に示す回路図である。
【符号の説明】
１  移動端末装置、２  内部スピーカ、３  内部マイクロフォン、４  接続端子、５  処理回路、６  切換回路、７  検出回路、１０  ヘッドセット、１１  接続端子、１２  ヘッドセットスピーカ、１３  ヘッドセットマイクロフォン、１４  マイクロフォン切換回路、１５  マイクロフォン筐体
【図１】
0004099520.tif 000002
【図２】
0004099520.tif 000003